(57)【要約】【課題】ユーザに応じた視聴制限の管理を行うことが可能な映像再生装置を提供する。【解決手段】このＤＶＤ再生装置１（映像再生装置）は、持ち運び可能であるとともに認証データを記憶するＵＳＢメモリ４０と通信可能なＵＳＢ接続部４と、パスワードの設定および非設定を切り替えることが可能なパスワード設定部９と、認証データおよびパスワードの両方、または、認証データに基づいて、映像の視聴を制限することが可能な視聴制限機能を有する制御部７とを備えている。【選択図】図１
2008271211.tif 000002
【特許請求の範囲】
【請求項１】
持ち運び可能であるとともに認証データを記憶する外部記憶媒体と通信可能な記憶媒体接続部と、
パスワードの設定および非設定を切り替えることが可能なパスワード設定部と、
前記認証データおよび前記パスワードの両方、または、前記認証データに基づいて、映像の視聴を制限することが可能な視聴制限機能を有する制御部とを備えた、映像再生装置。
【請求項２】
前記映像の映像データに含まれる第１識別データに対応する第２識別データを記憶可能な記憶部をさらに備え、
前記制御部は、前記記憶部に前記第２識別データが記憶されている場合は、前記第１識別データを含む前記映像の視聴を制限するように構成されている、請求項１に記載の映像再生装置。
【請求項３】
前記第１識別データは、映像記憶媒体に記憶され、
前記第１識別データおよび前記第２識別データは、それぞれ前記映像のタイトルである、請求項２に記載の映像再生装置。
【請求項４】
電源部をさらに備え、
前記制御部は、前記記憶部に前記第２識別データが記憶されている場合は、前記電源部をオン状態からオフ状態に切り替えるように構成されている、請求項２または３に記載の映像再生装置。
【請求項５】
前記記憶部は、前記映像の視聴制限の度合いを設定することが可能な映像ロック機能のデフォルトの設定値を記憶し、
前記制御部は、前記映像ロック機能のデフォルトの設定値に基づいて前記映像の視聴を制限することが可能なように構成されている、請求項１〜４のいずれか１項に記載の映像再生装置。
【請求項６】
前記制御部は、前記外部記憶媒体が、前記映像の視聴制限の度合いを設定することが可能な映像ロック機能の所定の設定値を記憶している場合には、前記映像ロック機能の所定の設定値に基づいて前記映像の視聴を制限することが可能なように構成されている、請求項１〜５のいずれか１項に記載の映像再生装置。
【発明の詳細な説明】
【技術分野】
【０００１】
この発明は、映像再生装置に関し、特に、映像の視聴などの制限機能を備えた映像再生装置に関する。
【背景技術】
【０００２】
従来、映像の視聴などの制限機能を備えた映像再生装置などの電子機器が知られている（たとえば、特許文献１〜４参照）。
【０００３】
上記特許文献１には、鍵とパスワードとによる認証確認によって、映像の視聴制限を行うＤＶＤプレイヤー（映像再生装置）が開示されている。この特許文献１によるＤＶＤプレイヤーでは、常に鍵とパスワードとによる二重の認証確認を行うように構成されている。
【０００４】
また、上記特許文献２には、複数のユーザそれぞれが所有するＩＣカードに記憶されたユーザそれぞれの生年月日によって、映像の視聴制限を行う光ディスク装置（映像再生装置）が開示されている。この特許文献２による光ディスク装置では、複数のユーザが、各人に応じたＩＣカードを所有し、映像を視聴する際にＩＣカードのみによって認証確認を行うように構成されている。
【０００５】
また、上記特許文献３には、ＵＳＢメモリに記憶されたユーザＩＤと、アクセスする機器固有のＩＤとによる認証確認によって、外部ネットワークからのアクセス制限を行う産業用機器（電子機器）が開示されている。この特許文献３による産業用機器では、ＵＳＢメモリの装着／非装着による物理的な管理と、ユーザＩＤと機器固有のＩＤとによる論理的な管理との二重の管理によって産業用機器へのアクセスを制限するように構成されている。
【０００６】
また、上記特許文献４には、ＵＳＢメモリに記憶された識別コードによる認証確認と、パスワードによる認証確認とによって、ファイルへのアクセス制限を二重に管理するコンピュータ（電子機器）が開示されている。
【０００７】
【特許文献１】特開２００３−８５８７８号公報
【特許文献２】実用新案登録第３０９０１２８号公報
【特許文献３】特開２００６−２２１５６３号公報
【特許文献４】特開２００７−１２０２２号公報
【発明の開示】
【発明が解決しようとする課題】
【０００８】
しかしながら、上記特許文献１に記載のＤＶＤプレイヤーでは、常に鍵とパスワードとによる二重の認証確認を行うので、管理が強化されている一方で、強化された管理を必要としないユーザにとっては、この二重の認証確認は時間と手間とを要するので、かえって不便であるという不都合がある。すなわち、このＤＶＤプレイヤーでは、ユーザに応じた視聴制限の管理を行うことができないという問題点がある。
【０００９】
また、上記特許文献２に記載の光ディスク装置では、映像を視聴する際にＩＣカードのみによって認証確認を行うので、認証確認が簡便で手間がかからない一方、強化された管理を必要とするユーザにとっては、管理が不十分であるという不都合がある。すなわち、この光ディスク装置では、ユーザに応じた視聴制限の管理を行うことができないという問題点がある。
【００１０】
また、上記特許文献３に記載の産業用機器では、ＵＳＢメモリの装着／非装着による物理的な管理と、ユーザＩＤと機器固有のＩＤとによる論理的な管理との二重の管理によって産業用機器へのアクセス制限を行うので、管理が強化されている一方で、強化された管理を必要としないユーザにとっては、時間と手間とを要するので、かえって不便であるという不都合がある。すなわち、この産業用機器では、ユーザに応じたアクセス制限の管理を行うことができないという問題点がある。
【００１１】
また、上記特許文献４に記載のコンピュータでは、ＵＳＢメモリに記憶された識別コードとパスワードとによって二重の認証確認を行うので、管理が強化されている一方で、強化された管理を必要としないユーザにとっては、この二重の認証確認は時間と手間とを要するので、かえって不便であるという不都合がある。すなわち、このコンピュータでは、ユーザに応じたアクセス制限の管理を行うことができないという問題点がある。
【００１２】
この発明は、上記のような課題を解決するためになされたものであり、この発明の１つの目的は、ユーザに応じた視聴制限の管理を行うことが可能な映像再生装置を提供することである。
【課題を解決するための手段および発明の効果】
【００１３】
この発明の一の局面による映像再生装置は、持ち運び可能であるとともに認証データを記憶する外部記憶媒体と通信可能な記憶媒体接続部と、パスワードの設定および非設定を切り替えることが可能なパスワード設定部と、認証データおよびパスワードの両方、または、認証データに基づいて、映像の視聴を制限することが可能な視聴制限機能を有する制御部とを備えている。
【００１４】
この一の局面による映像再生装置では、上記のように、持ち運び可能であるとともに認証データを記憶する外部記憶媒体と通信可能な記憶媒体接続部と、パスワードの設定および非設定を切り替えることが可能なパスワード設定部と、認証データおよびパスワードの両方、または、認証データに基づいて、映像の視聴を制限することが可能な視聴制限機能を有する制御部とを設けることによって、認証データおよびパスワードによる二重の認証確認を行うことができるので、視聴制限の管理を強化することができるとともに、強化された管理を必要としない場合には、認証データのみによる認証確認を行うことができる。その結果、ユーザに応じた視聴制限の管理を行うことができる。
【００１５】
上記一の局面による映像再生装置において、好ましくは、映像の映像データに含まれる第１識別データに対応する第２識別データを記憶可能な記憶部をさらに備え、制御部は、記憶部に第２識別データが記憶されている場合は、第１識別データを含む映像の視聴を制限するように構成されている。このように構成すれば、ユーザが第２識別データを記憶部に記憶することによって、第１識別データを含む映像の視聴を制限することができるので、容易に所定の映像の視聴を制限することができる。
【００１６】
この場合、好ましくは、第１識別データは、映像記憶媒体に記憶され、第１識別データおよび第２識別データは、それぞれ映像のタイトルである。このように構成すれば、ユーザが映像のタイトルを記憶部に記憶することによって、対応するタイトルを含む映像記憶媒体の映像の視聴を制限することができる。
【００１７】
上記した記憶部を設ける構成において、好ましくは、電源部をさらに備え、制御部は、記憶部に第２識別データが記憶されている場合は、電源部をオン状態からオフ状態に切り替えるように構成されている。このように構成すれば、第２識別データに対応する第１識別データを含む映像の視聴の制限を、電源部をオフ状態にすることによって行うので、確実に所定の映像の視聴を制限することができる。
【００１８】
上記一の局面による映像再生装置において、好ましくは、記憶部は、映像の視聴制限の度合いを設定することが可能な映像ロック機能のデフォルトの設定値を記憶し、制御部は、映像ロック機能のデフォルトの設定値に基づいて映像の視聴を制限することが可能なように構成されている。このように構成すれば、所定の認証確認を行うことができない場合に、記憶部に記憶された映像ロック機能のデフォルトの設定値に基づいて映像の視聴を制限することができるので、容易に映像ロック機能による視聴の制限を行うことができる。
【００１９】
上記一の局面による映像再生装置において、好ましくは、制御部は、外部記憶媒体が、映像の視聴制限の度合いを設定することが可能な映像ロック機能の所定の設定値を記憶している場合には、映像ロック機能の所定の設定値に基づいて映像の視聴を制限することが可能なように構成されている。このように構成すれば、外部記憶媒体の所有者は、予め外部記憶部に記憶された映像ロック機能の所定の設定値に基づいた映像の視聴を行うことができるので、所有者のために改めて映像の視聴制限の設定を行う必要がない。
【発明を実施するための最良の形態】
【００２０】
以下、本発明を具体化した実施形態を図面に基づいて説明する。
【００２１】
図１は、本発明の一実施形態によるＤＶＤ再生装置の全体構成を示したブロック図である。図２〜図６は、図１に示した本発明の一実施形態によるＤＶＤ再生装置の詳細な構成を示した図である。図１〜図６を参照して、本発明の一実施形態によるＤＶＤ再生装置１の構成について説明する。なお、本実施形態では、映像再生装置の一例であるＤＶＤ再生装置１に本発明を適用した場合について説明する。
【００２２】
本発明の一実施形態によるＤＶＤ再生装置１は、図１に示すように、外部機器のビデオ再生機２０が接続可能な外部機器接続部２と、映像データを記録可能なＤＶＤ（デジタル多用途ディスク）３０の読み取りを行うＤＩＳＣ読取部３と、ＵＳＢメモリ４０と通信可能なＵＳＢ接続部４と、パレンタルロック（Ｐａｒｅｎｔａｌ  Ｌｏｃｋ）機能のデフォルトの設定値を記憶する記憶部５とを備えている。なお、ＵＳＢ接続部４は、本発明の「記憶媒体接続部」の一例であり、ＤＶＤ３０は、本発明の「映像記憶媒体」の一例である。また、ＵＳＢメモリ４０は、本発明の「外部記憶媒体」の一例であり、パレンタルロック機能は、本発明の「映像ロック機能」の一例である。
【００２３】
また、ＤＶＤ再生装置１は、映像をテレビジョン装置５０に出力する映像出力部６と、ＤＶＤ再生装置１の全体の制御を行う制御部７と、電源部８と、パスワードの設定および非設定を切り替えることが可能なパスワード設定部９と、映像に重ねて文字情報を表示するオンスクリーン表示を行うＯＳＤ出力部１０とをさらに備えている。また、各構成要素は、バス（伝送路）１１を介して互いに接続されることによって、制御信号および制御上のデータを互いに通信することが可能なように構成されている。なお、パレンタルロック機能とは、数段階の規制レベルに合わせて視聴制限を行う機能であり、パレンタルロック機能に対応した映像を再生する際に、パレンタルロックが設定されていれば、設定された規制レベル以下の映像しか見ることができないように制限することが可能である。すなわち、パレンタルロック機能は、映像の視聴制限の規制レベル（度合い）を設定することが可能である。
【００２４】
また、外部機器接続部２は、ビデオ再生機２０で再生される映像の映像データを取得し、取得した映像データを映像出力部６に伝達するように構成されている。また、ＤＩＳＣ読取部３は、図示しないＤＶＤ３０を挿入可能な挿入部を含んでいる。また、ＤＩＳＣ読取部３は、ＤＶＤ３０に記憶された映像データに含まれるＤＩＳＣタイトル（映像のタイトル）と映像データとを読み取り、映像データを映像出力部６に伝達するように構成されている。
【００２５】
また、ＵＳＢ接続部４は、ＵＳＢ接続が可能なＵＳＢ接続端子（図示せず）を有し、電源部８がオン状態のままで、接続端子を着脱することが可能なホットプラグの機能を有している。また、ＵＳＢ接続部４は、接続されたＵＳＢメモリ４０に記憶される後述の認証データおよびパレンタルロック機能の所定の設定値を読み取ることが可能なように構成されている。
【００２６】
また、記憶部５は、パレンタルロック機能のデフォルトの設定値を記憶するための記憶領域５ａと、ユーザによって予め登録されるＤＩＳＣタイトルを記憶するための記憶領域５ｂとを有している。また、映像出力部６は、外部機器接続部２およびＤＩＳＣ読取部３から伝達される映像データに基づいた映像をテレビジョン装置５０に出力し、テレビジョン装置５０の表示部５１（図２〜図６参照）に表示するように構成されている。
【００２７】
ここで、本実施形態では、制御部７は、パスワード設定部９によってパスワードが設定されている場合には、ＵＳＢメモリ４０の認証データおよびパスワードの両方によって、二重の認証確認を行うように構成されている。また、パスワード設定部９によってパスワードが設定されていない場合には、ＵＳＢメモリ４０の認証データによる認証確認のみを行うように構成されている。上記２通りの認証確認のいずれの場合においても、認証確認を行うことができないときには、制御部７は、記憶部５の記憶領域５ａに記憶されているパレンタルロック機能のデフォルトの設定値に基づいて映像の視聴制限を行うとともに、パレンタルロック、ディスクロックおよびパスワードの設定／変更を行うことができないように設定するように構成されている。ここで、ディスクロックとは、後述のＤＶＤ３０のＤＩＳＣタイトルが、記憶部５に記憶されているか否かによって映像の視聴制限を行う機能のことである。また、認証確認を行うことができない場合の例として、ＵＳＢメモリ４０がＵＳＢ接続部４に接続されていない場合、および、ＵＳＢメモリ４０が所定の認証データを記憶していない場合がある。さらに、制御部７は、認証確認を行うことができない場合に、ＤＶＤ３０がＤＩＳＣ読取部３の挿入部に挿入されていれば、ＤＶＤ３０の映像データに含まれるＤＩＳＣタイトルが、記憶部５の記憶領域５ｂに記憶されているか否かを判断するように構成されている。そして、制御部７は、記憶部５にＤＶＤ３０のＤＩＳＣタイトルが記憶されている場合には、電源部８をオン状態からオフ状態に切り替えるように構成されている。これにより、制御部７は、ユーザによって予め登録されたＤＩＳＣタイトルが記憶部５に記憶されている場合には、確実にそのＤＶＤ３０に記憶された映像の視聴を制限することが可能である。
【００２８】
また、上記２通りの認証確認のいずれの場合においても、認証確認を行うことができたときには、制御部７は、ＵＳＢメモリ４０に記憶されているパレンタルロック機能の所定の設定値に基づいて映像の視聴制限を行うとともに、パレンタルロック、ディスクロックおよびパスワードの設定／変更を行うことができるように設定するように構成されている。
【００２９】
また、パスワード設定部９は、ユーザからの指示に基づいて、パスワードの設定および非設定を切り替えることが可能であるとともに、ユーザによって任意の４桁の数字にパスワードを変更することが可能なように構成されている。
【００３０】
また、本実施形態では、図２に示すように、ＯＳＤ出力部１０は、パスワード設定部９によりパスワードが設定されている場合には、ＵＳＢメモリ４０の認証データによる認証確認を行った後、テレビジョン装置５０の表示部５１に、パスワード入力画面を表示するように構成されている。また、図３〜図６に示すように、ＯＳＤ出力部１０は、図示しないリモコンに設けられた設定ボタンが押圧されることによって、テレビジョン装置５０の表示部５１に、設定画面を表示するように構成されている。また、図３〜図５に示すように、ＯＳＤ出力部１０は、制御部７が認証確認を行うことができた場合には、音声、画像、パレンタルロック、ディスクロックおよびパスワードの設定／変更を行うことが可能なようにテレビジョン装置５０の表示部５１に音声、画像、パレンタルロック、ディスクロックおよびパスワードの各項目を表示するように構成されている。その一方、図６に示すように、ＯＳＤ出力部１０は、制御部７が認証確認を行うことができない場合には、音声および画像の設定／変更のみを行うことが可能なように表示部５１に表示するように構成されている。すなわち、制御部７が、認証確認を行うことができない場合には、パレンタルロック、ディスクロックおよびパスワードの設定／変更を行うことができないように、表示部５１にパレンタルロック、ディスクロックおよびパスワードの項目を表示しないように構成されている。これにより、制御部７が認証確認を行うことができない場合には、視聴の制限の設定／変更が行われるのが制限されるので、映像の視聴制限を確実に管理することが可能である。また、図３に示すように、ＯＳＤ出力部１０は、リモコン（図示せず）に配置された操作ボタンによって、パレンタルロックの項目が選択された場合には、ＵＳＢメモリ４０に記憶されたパレンタルロック機能の所定の設定値の設定／変更を行うためのＵＳＢメモリ側という項目と、記憶部５の記憶領域５ａに記憶されるパレンタルロック機能のデフォルトの設定値の設定／変更を行うためのデフォルト値という項目との２つの項目を表示するように構成されている。また、図４に示すように、ＯＳＤ出力部１０は、リモコン（図示せず）の操作ボタンによって、ディスクロックの項目が選択された場合には、ＤＩＳＣ読取部に挿入されたＤＶＤ３０のＤＩＳＣタイトルを、記憶部５の記憶領域５ｂに記憶させるためのタイトル登録という項目と、記憶部５の記憶領域５ｂに記憶されるＤＩＳＣタイトルを一覧表示するためのタイトル一覧という項目との２つの項目を表示するように構成されている。また、ＯＳＤ出力部１０により表示されるタイトル一覧の表示画面（図示せず）において、ユーザからの指示によって、制御部７は、不要なタイトルを削除することが可能なように構成されている。
【００３１】
また、ＤＶＤ３０には、パレンタルロック機能の規制レベルに対応した複数の映像データが記憶されている。
【００３２】
ＵＳＢメモリ４０は、持ち運びが可能なように構成され、認証データを記憶するための記憶領域４１と、パレンタルロック機能の所定の設定値を記憶するための記憶領域４２とを有している。ここで、認証データとは、ＤＶＤ再生装置１において、映像の視聴制限の管理を行う管理者を、制御部に識別させるためのデータである。
【００３３】
図７は、図１に示した一実施形態によるＤＶＤ再生装置の起動時の動作を説明するためのフロー図である。次に、図２〜図７を参照して、本発明の一実施形態によるＤＶＤ再生装置１の起動時の動作について説明する。
【００３４】
まず、図７に示すように、ステップＳ１において、ＤＶＤ再生装置１が起動されたか否かが判断され、起動されていないと判断した場合には、この判断が繰り返される。その一方、起動されたと判断した場合には、ステップＳ２において、ＵＳＢ接続部４にＵＳＢメモリ４０が接続されて、所定の認証データによる認証確認を行うことができたか否かが判断され、認証確認を行うことができた場合には、ステップＳ３において、パスワード設定部９によるパスワードの設定が行われているか否かが判断される。そして、パスワードが設定されていないと判断した場合には、ステップＳ６に移行し、パスワードが設定されていると判断した場合には、ステップＳ４において、パスワード入力画面（図２参照）がテレビジョン装置５０の表示部５１に表示される。次に、ステップＳ５において、パスワード入力画面から正しいパスワードが入力されたか否かが判断され、正しいパスワードが入力されたと判断した場合には、ステップＳ６に移行する。そして、ステップＳ６において、パレンタルロック、ディスクロックおよびパスワードの設定／変更を行うことが可能なように設定される。これにより、図３〜図５に示すように、パレンタルロック、ディスクロックおよびパスワードの各項目が表示されて、ユーザが選択することが可能である。また、ステップＳ７において、ＵＳＢメモリ４０に記憶されたパレンタルロック機能の所定の設定値に基づく映像の視聴制限が行われるように設定され、動作が終了される。
【００３５】
また、ステップＳ２において、認証確認を行うことができなかった場合には、ステップＳ８に移行する。また、ステップＳ５において、正しいパスワードが入力されていないと判断した場合にも、上記同様にステップＳ８に移行する。そして、ステップＳ８において、パレンタルロック、ディスクロックおよびパスワードの設定／変更を行うことができないように設定される。これにより、図６に示すように、パレンタルロック、ディスクロックおよびパスワードの各項目が非表示にされて、ユーザによる選択を不可能にすることが可能である。また、ステップＳ９において、記憶部５に記憶されたパレンタルロック機能のデフォルトの設定値に基づく映像の視聴制限が行われるように設定される。次に、ステップＳ１０において、ＤＩＳＣ読取部３に挿入されたＤＶＤ３０のＤＩＳＣタイトルが、記憶部５に記憶されているか否かが判断され、記憶されていると判断した場合には、ステップＳ１１において、電源部８がオン状態からオフ状態に切り替えられ、動作が終了される。その一方、タイトルが記憶されていないと判断した場合には、そのまま動作が終了される。
【００３６】
本実施形態では、上記のように、持ち運び可能であるとともに認証データを記憶するＵＳＢメモリ４０と通信可能なＵＳＢ接続部４と、パスワードの設定および非設定を切り替えることが可能なパスワード設定部９と、認証データおよびパスワードの両方、または、認証データに基づいて、映像の視聴を制限することが可能な視聴制限機能を有する制御部７とを設けることによって、認証データおよびパスワードによる二重の認証確認を行うことができるので、視聴制限の管理を強化することができるとともに、強化された管理を必要としない場合には、認証データのみによる認証確認を行うことができる。その結果、ユーザに応じた視聴制限の管理を行うことができる。
【００３７】
また、本実施形態では、ＤＩＳＣタイトルを記憶可能な記憶部５を設け、制御部７を、記憶部５にＤＩＳＣタイトルが記憶されている場合は、そのＤＩＳＣタイトルを含む映像の視聴を制限するように構成することによって、ユーザがＤＩＳＣタイトルを記憶部５に記憶することによって、そのＤＩＳＣタイトルを含む映像の視聴を制限することができるので、容易に所定の映像の視聴を制限することができる。
【００３８】
また、本実施形態では、電源部８を設け、制御部７を、記憶部５にＤＩＳＣタイトルが記憶されている場合は、電源部８をオン状態からオフ状態に切り替えるように構成することによって、そのＤＩＳＣタイトルを含む映像の視聴の制限を、電源部８をオフ状態にすることによって行うので、確実に所定の映像の視聴を制限することができる。
【００３９】
また、本実施形態では、記憶部５に、映像の視聴制限の度合いを設定することが可能なパレンタルロック機能のデフォルトの設定値を記憶させ、制御部７を、パレンタルロック機能のデフォルトの設定値に基づいて映像の視聴を制限することが可能なように構成することによって、所定の認証確認を行うことができない場合に、記憶部５に記憶されたパレンタルロック機能のデフォルトの設定値に基づいて映像の視聴を制限することができるので、容易にパレンタルロック機能による視聴の制限を行うことができる。
【００４０】
また、本実施形態では、制御部を、ＵＳＢメモリ４０が、映像の視聴制限の度合いを設定することが可能なパレンタルロック機能の所定の設定値を記憶している場合には、パレンタルロック機能の所定の設定値に基づいて映像の視聴を制限することが可能なように構成することによって、ＵＳＢメモリ４０の所有者は、予めＵＳＢメモリ４０に記憶されたパレンタルロック機能の所定の設定値に基づいた映像の視聴を行うことができるので、所有者のために改めて映像の視聴制限の設定を行う必要がない。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、映像再生装置の一例としてＤＶＤ再生装置を示したが、本発明はこれに限らず、映像の視聴制限機能を備えた映像再生装置であれば、ＤＶＤ再生装置以外の他の映像再生装置にも適用可能である。
【００４３】
また、上記実施形態では、第１識別データおよび第２識別データを、それぞれ映像のタイトルとする例を示したが、本発明はこれに限らず、たとえば映像のジャンル名など、他の映像との識別が行えるデータであれば、タイトル以外の識別データとしてもよい。
【００４４】
また、上記実施形態では、記憶部にＤＶＤの映像のタイトルと同一のタイトルが記憶されている場合に、電源部をオン状態からオフ状態に切り替える例を示したが、本発明はこれに限らず、たとえば映像の再生を停止するなど、映像の視聴を制限する構成であれば、電源部をオフ状態に切り替える構成以外の構成にしてもよい。
【００４５】
また、上記実施形態では、１つのＵＳＢメモリに認証データとパレンタルロック機能の所定の設定値とを記憶する例を示したが、本発明はこれに限らず、複数のＵＳＢメモリを用意し、それぞれのＵＳＢメモリにそれぞれの所有者に応じたパレンタルロック機能の所定の設定値を記憶することによって、複数のユーザそれぞれに応じた映像の視聴制限を行うように構成してもよい。また、必要に応じて、複数のＵＳＢメモリに認証データを記憶させることによって、複数のユーザがパレンタルロック、ディスクロックおよびパスワードの設定／変更を行うことが可能なようにしてもよい。
【００４６】
また、上記実施形態では、ＵＳＢメモリにパレンタルロック機能の所定の設定値を記憶するための記憶領域を設ける例を示したが、本発明はこれに限らず、ＵＳＢメモリはパレンタルロック機能の所定の設定値を記憶するための記憶領域を有さず、認証確認を行うことができた場合には、映像の視聴制限を行うことなく、無制限で映像の視聴を行うことが可能なようにしてもよい。
【図面の簡単な説明】
【００４７】
【図１】本発明の一実施形態によるＤＶＤ再生装置の全体構成を示したブロック図である。
【図２】図１に示した一実施形態によるＤＶＤ再生装置のＯＳＤ出力部により表示されるパスワード入力画面を示した図である。
【図３】図１に示した一実施形態によるＤＶＤ再生装置のＯＳＤ出力部により表示される設定画面を示した図である。
【図４】図１に示した一実施形態によるＤＶＤ再生装置のＯＳＤ出力部により表示される設定画面を示した図である。
【図５】図１に示した一実施形態によるＤＶＤ再生装置のＯＳＤ出力部により表示される設定画面を示した図である。
【図６】図１に示した一実施形態によるＤＶＤ再生装置のＯＳＤ出力部により表示される設定画面を示した図である。
【図７】図１に示した一実施形態によるＤＶＤ再生装置の起動時の動作を説明するためのフロー図である。
【符号の説明】
【００４８】
１        ＤＶＤ再生装置
４        ＵＳＢ接続部（記憶媒体接続部）
５        記憶部
７        制御部
８        電源部
９        パスワード設定部
３０      ＤＶＤ（映像記憶媒体）
４０      ＵＳＢメモリ（外部記憶媒体）
【図１】
2008271211.tif 000003
【図２】
2008271211.tif 000004
【図３】
2008271211.tif 000005
【図４】
2008271211.tif 000006
【図５】
2008271211.tif 000007
【図６】
2008271211.tif 000008
【図７】
2008271211.tif 000009